(57)【要約】多極磁化可撓性磁気ストリップを担体とした付けまつ毛は、多極磁化された第１の可撓性磁気ストリップであって、複数対の磁極が第１の可撓性磁気ストリップに、その長手方向または幅方向に沿って等間隔または不等間隔に配列された第１の可撓性磁気ストリップと、多極磁化された第２の可撓性磁気ストリップであって、複数対の磁極が第２の可撓性磁気ストリップに、その長手方向または幅方向に沿って等間隔または不等間隔に配列された第２の可撓性磁気ストリップと、上の付けまつ毛であって、方向が相反する１対の磁極を有する第１の可撓性磁気ストリップと、第１の可撓性磁気ストリップの下側に固定された第１の疑似まつ毛とを含む上の付けまつ毛と、下の付けまつ毛であって、方向が相反する１対の磁極を有する第２の可撓性磁気ストリップと、第２の可撓性磁気ストリップの上側に固定された第２の疑似まつ毛とを含む下の付けまつ毛とを備え、上の付けまつ毛と下の付けまつ毛は、使用時、上の付けまつ毛二枚が磁力吸引により人の目の上まぶたの真まつ毛の上下両側に接続され、下の付けまつ毛二枚が磁力吸引により人の目の下まぶたの真まつ毛の上下両側に接続される、ことを特徴とする。【選択図】図１
2020513483.tif 000002
【特許請求の範囲】
【請求項１】
多極磁化可撓性磁気ストリップを担体とした付けまつ毛であって、
上まつ毛に適合可能な多極磁化された第１の可撓性磁気ストリップ（１０）であって、複数対の磁極（１１）が前記第１の可撓性磁気ストリップ（１０）に、その長手方向または幅方向に沿って等間隔または不等間隔に配列され、上まぶたの動きに対応して変形可能な前記第１の可撓性磁気ストリップ（１０）と、
下まつ毛に適合可能な多極磁化された第２の可撓性磁気ストリップ（２０）であって、複数対の磁極（２１）が前記第２の可撓性磁気ストリップ（２０）に、その長手方向または幅方向に沿って等間隔または不等間隔に配列され、下まぶたの動きに対応して変形可能な前記第２の可撓性磁気ストリップ（２０）と、
方向が相反する１対の磁極を有する前記第１の可撓性磁気ストリップ（１０）と第１の疑似まつ毛（３０）とを含む上の付けまつ毛（１００）であって、前記第１の疑似まつ毛（３０）の一端は前記第１の可撓性磁気ストリップ（１０）の下側に固定されており、他端は下向きに真まつ毛（５０）以上の長さまで延在している前記上の付けまつ毛（１００）と、
方向が相反する１対の磁極を有する前記第２の可撓性磁気ストリップ（２０）と第２の疑似まつ毛（４０）とを含む下の付けまつ毛（２００）であって、前記第２の疑似まつ毛（４０）の一端は前記第２の可撓性磁気ストリップ（２０）の上側に固定されており、他端は上向きに真まつ毛（５０）以上の長さまで延在している前記下の付けまつ毛（２００）とを備え、
前記上の付けまつ毛（１００）と前記下の付けまつ毛（２００）は、使用時、前記上の付けまつ毛（１００）二枚が磁力吸引により人の目の上まぶたの前記真まつ毛（５０）の上下両側に接続され、前記下の付けまつ毛（２００）二枚が磁力吸引により人の目の下まぶたの前記真まつ毛（５０）の上下両側に接続される、ことを特徴とする付けまつ毛。
【請求項２】
前記第１の可撓性磁気ストリップ（１０）が人の上まぶたの形状に対応した円弧形の薄片状または棒状の物体であり、前記第２の可撓性磁気ストリップ（２０）が人の下まぶたの形状に対応した円弧形の薄片状または棒状の物体である、ことを特徴とする請求項１に記載の付けまつ毛。
【請求項３】
前記薄片状の第１の可撓性磁気ストリップ（１０Ａ）と前記薄片状の第２の可撓性磁気ストリップ（２０Ａ）の横断面が長方形であり、その角部が曲面となるように形成されている、ことを特徴とする請求項２に記載の付けまつ毛。
【請求項４】
前記棒状の第１の可撓性磁気ストリップ（１０Ｂ）と前記棒状の第２の可撓性磁気ストリップ（２０Ｂ）の横断面が円形または楕円形であり、前記横断面が円形の第１の可撓性磁気ストリップ（１０Ｂ）と前記横断面が円形の第２の可撓性磁気ストリップ（２０Ｂ）の外表面には、対称な２つの平面（１０Ｂ１、２０Ｂ１）が軸方向に沿って設けられており、前記平面（１０Ｂ１、２０Ｂ１）と円柱面とが交差する箇所が曲面となるように形成されている、ことを特徴とする請求項２に記載の付けまつ毛。
【請求項５】
前記第１の疑似まつ毛（３０）または前記第２の疑似まつ毛（４０）が、前記横断面が円形の第１の可撓性磁気ストリップ（１０Ｂ）または前記横断面が円形の第２の可撓性磁気ストリップ（２０Ｂ）のうち１つの平面（１０Ｂ１、２０Ｂ１）に固定されており、前記第１の疑似まつ毛（３０）または前記第２の疑似まつ毛（４０）が、前記横断面が楕円形の第１の可撓性磁気ストリップ（１０Ｂ）または前記横断面が楕円形の第２の可撓性磁気ストリップ（２０Ｂ）のうちの１つの長辺のある平面（１０Ｂ２、２０Ｂ２）に固定されている、ことを特徴とする請求項４に記載の付けまつ毛。
【請求項６】
前記第１の可撓性磁気ストリップ（１０）と前記第２の可撓性磁気ストリップ（２０）は、長さが上まぶたと下まぶたの長さよりわずかに小さい細長い薄片状または棒状の物体であり、前記薄片状の第１の可撓性磁気ストリップ（１０Ａ）と前記薄片状の第２の可撓性磁気ストリップ（２０Ａ）は幅が０.５〜２ｍｍであり、厚さが０.０５〜０.５ｍｍであり、前記棒状の第１の可撓性磁気ストリップ（１０Ｂ）と前記棒状の第２の可撓性磁気ストリップ（２０Ｂ）のうち、前記横断面が円形の第１の可撓性磁気ストリップ（１０Ｂ）と前記横断面が円形の第２の可撓性磁気ストリップ（２０Ｂ）は直径が０.０５〜２ｍｍであり、前記横断面が楕円形の第１の可撓性磁気ストリップ（１０Ｂ）と前記横断面が楕円形の第２の可撓性磁気ストリップ（２０Ｂ）は長径の長さが０.０５〜２ｍｍである、ことを特徴とする請求項２に記載の付けまつ毛。
【請求項７】
前記上の付けまつ毛（１００）には前記第１の疑似まつ毛（３０）の一端がホットプレスまたは接着により、前記第１の可撓性磁気ストリップ（１０）の内部に固定されており、前記下の付けまつ毛（２００）には前記第２の疑似まつ毛（４０）がホットプレスまたは接着により、前記第２の可撓性磁気ストリップ（２０）の内部に固定されている、ことを特徴とする請求項１に記載の付けまつ毛。
【請求項８】
前記第１の可撓性磁気ストリップ（１０）と前記第２の可撓性磁気ストリップ（２０）は、合成ゴム粉末、磁性体粉末および助剤を重量比１〜１０:７５〜９８:１〜１０で均等に混合し、その後圧延若しくは射出成形又は射出成形を行ったのち更に圧延を行うことにより形成されたものであり、前記磁性体粉末が、ネオジム鉄ホウ素磁性粉末、サマリウム鉄窒素粉末、または、サマリウムコバルト粉末のうちの一種であり、前記助剤がシランカップリング剤である、ことを特徴とする請求項１〜７のいずれか１項に記載の付けまつ毛。
【請求項９】
前記均等に混合された合成ゴム粉末、磁性体粉末および助剤に対して、無磁界状態下で、圧延若しくは射出成形又は射出成形を行ったのち更に圧延が行われたことにより、等方性の前記第１の可撓性磁気ストリップ（１０）と等方性の前記第２の可撓性磁気ストリップ（２０）とが形成されている、ことを特徴とする請求項８に記載の付けまつ毛。
【請求項１０】
前記均等に混合された合成ゴム粉末、磁性体粉末および助剤に対して、圧延若しくは射出成形又は射出成形を行ったのち更に圧延を行う過程において、強磁界の配向により、異方性の前記第１の可撓性磁気ストリップ（１０）と異方性の前記第２の可撓性磁気ストリップ（２０）とが形成されている、ことを特徴とする請求項８に記載の付けまつ毛。
【発明の詳細な説明】
【技術分野】
【０００１】
本発明は化粧用品に関し、特に容易且つ迅速に脱着が可能であり、安全に使用可能な、多極磁化可撓性磁気ストリップを担体とした付けまつ毛に関する。
【背景技術】
【０００２】
今日の世界で、美しさを愛し、美しさを追求することは、すでに人々の生活の一部になり、女性にとってはさらにそうである。自身の体型と外見をより美しくするために、女性たちは運動とエクササイズに加え、多くの場合自身の状況に合わせて多種多様な化粧用品を使用することにより維持と装飾を行なう。周知のように、目は女性にとって最も重要な化粧パーツの１つであり、彼女たちはしばしばタトゥー眉毛、タトゥーアイライナー、付けまつ毛などの方法により目の美しさを実現する。なかでも、付けまつ毛を装着することにより、目のまつ毛をより細長く、より立体的に、より美しくすることができる。従来の付けまつ毛は、１つの接続部と、接続部に接着されている疑似まつ毛から構成されており、前記接続部の片側には、接着剤がコーティングされており、付けまつ毛の装着時、接続部の接着剤でコーティングされている側を、まぶたの上に貼り付けることにより、付けまつ毛と人のまぶたとの接続が実現される。従来の付けまつ毛および使用方法の欠陥は明らかである。第一に、前記付けまつ毛は一度しか使用できず、再利用できず、使用コストの増加をもたらす。第二に、人の目に接続するために接着剤が使用されるため、接着剤の人体皮膚に対する刺激により不快感が引き起こされるだけでなく、接着剤の洗浄が困難であり、眼部に接着剤が残留することにより、眼部の不快感が引き起こされる。第三に、従来の付けまつ毛の脱着は共に非常に不便である。
【発明の概要】
【０００３】
上記問題を解決すべく、本発明は、目に対する刺激やダメージが無く、良好な適合性と確実な接続とが実現され、容易且つ迅速な脱着が可能であり、再利用可能な、多極磁化可撓性磁気ストリップを担体とした、付けまつ毛を提供することを目的とする。
【０００４】
上記目的を実現するために、本発明の多極磁化可撓性磁気ストリップを担体とした付けまつ毛は、
上まつ毛に適合可能な多極磁化された第１の可撓性磁気ストリップであって、複数対の磁極が前記第１の可撓性磁気ストリップに、その長手方向または幅方向に沿って等間隔または不等間隔に配列され、上まぶたの動きに対応して変形可能な前記第１の可撓性磁気ストリップと、
下まつ毛に適合可能な多極磁化された第２の可撓性磁気ストリップであって、複数対の磁極が前記第２の可撓性磁気ストリップに、その長手方向または幅方向に沿って等間隔または不等間隔に配列され、下まぶたの動きに対応して変形可能な前記第２の可撓性磁気ストリップと、
方向が相反する１対の磁極を有する前記第１の可撓性磁気ストリップと第１の疑似まつ毛とを含む上の付けまつ毛であって、前記第１の疑似まつ毛の一端は前記第１の可撓性磁気ストリップの下側に固定されており、他端は下向きに真まつ毛以上の長さまで延在している上の付けまつ毛と、
方向が相反する１対の磁極を有する前記第２の可撓性磁気ストリップと第２の疑似まつ毛とを含む下の付けまつ毛であって、前記第２の疑似まつ毛の一端は前記第２の可撓性磁気ストリップの上側に固定されており、他端は上向きに真まつ毛以上の長さまで延在している下の付けまつ毛とを備え、
前記上の付けまつ毛と下の付けまつ毛は、使用時、上の付けまつ毛二枚が磁力吸引により人の目の上まぶたの真まつ毛の上下両側に接続され、下の付けまつ毛二枚が磁力吸引により人の目の下まぶたの真まつ毛の上下両側に接続される。
【０００５】
前記第１の可撓性磁気ストリップは、人の上まぶたの形状に対応した円弧形の薄片状または棒状の物体であり、前記第２の可撓性磁気ストリップは、人の下まぶたの形状に対応した円弧形の薄片状または棒状の物体である。
【０００６】
前記薄片状の第１の可撓性磁気ストリップと、前記薄片状の第２の可撓性磁気ストリップは、横断面が長方形であり、その角部が曲面となるように形成されている。
【０００７】
前記棒状の第１の可撓性磁気ストリップと、前記棒状の第２の可撓性磁気ストリップは、横断面が円形または楕円形であり、前記横断面が円形の第１の可撓性磁気ストリップと、前記横断面が円形の第２の可撓性磁気ストリップの外表面には、対称な２つの平面が軸方向に沿って設けられており、前記断面と円柱面とが交差する箇所は、曲面となるように形成されている。
【０００８】
前記第１の疑似まつ毛または前記第２の疑似まつ毛は、前記横断面が円形の第１の可撓性磁気ストリップまたは前記横断面が円形の第２の可撓性磁気ストリップのうち１つの平面に固定されており、前記第１の疑似まつ毛または前記第２の疑似まつ毛は、前記横断面が楕円形の第１の可撓性磁気ストリップまたは前記横断面が楕円形の第２の可撓性磁気ストリップのうちの１つの長辺のある平面に固定されている。
【０００９】
前記第１の可撓性磁気ストリップと前記第２の可撓性磁気ストリップは、長さが上まぶたと下まぶたの長さよりわずかに小さい細長い薄片状または棒状の物体であり、前記薄片状の第１の可撓性磁気ストリップと前記薄片状の第２の可撓性磁気ストリップは、幅が０.５〜２ｍｍであり、厚さが０.０５〜０.５ｍｍであり、前記棒状の第１の可撓性磁気ストリップと前記棒状の第２の可撓性磁気ストリップのうち、横断面が円形の前記第１の可撓性磁気ストリップと横断面が円形の前記第２の可撓性磁気ストリップは、直径が０.０５〜２ｍｍであり、横断面が楕円形の前記第１の可撓性磁気ストリップと横断面が楕円形の前記第２の可撓性磁気ストリップは、長径の長さが０.０５〜２ｍｍである。
【００１０】
前記上の付けまつ毛には、前記第１の疑似まつ毛の一端がホットプレスまたは接着により、前記第１の可撓性磁気ストリップの内部に固定されており、前記下の付けまつ毛には、前記第２の疑似まつ毛がホットプレスまたは接着により、前記第２の可撓性磁気ストリップの内部に固定されている。
【００１１】
前記第１の可撓性磁気ストリップと前記第２の可撓性磁気ストリップは、合成ゴム粉末、磁性体粉末および助剤を重量比１〜１０:７５〜９８:１〜１０で均等に混合し、その後圧延若しくは射出成形又は射出成形を行ったのち更に圧延を行うことにより形成されたものであり、前記磁性体粉末は、ネオジム鉄ホウ素磁性粉末、サマリウム鉄窒素粉末、及び、サマリウムコバルト粉末のうちの一種であり、前記助剤はシランカップリング剤である。
【００１２】
前記均等に混合された合成ゴム粉末、磁性体粉末および助剤を用いることにより、無磁界状態下で、圧延若しくは射出成形又は射出成形を行ったのち更に圧延を行うことにより、等方性の前記第１の可撓性磁気ストリップと等方性の前記第２の可撓性磁気ストリップとが形成されていてよい。
【００１３】
前記均等に混合された合成ゴム粉末、磁性体粉末および助剤を用いて、圧延若しくは射出成形又は射出成形を行ったのち更に圧延を行う過程において、強磁界の配向により、異方性の前記第１の可撓性磁気ストリップと異方性の前記第２の可撓性磁気ストリップとが形成される。
【００１４】
本発明の寄与は、従来技術に存在する問題を有効に解決した所にある。本発明は、多極磁化可撓性磁気ストリップを担体および接続体とし、疑似まつ毛を可撓性磁気ストリップに固定させ、迅速な脱着が可能である付けまつ毛を形成する。前記付けまつ毛は、磁力吸引の方式によりまぶたに接続されるため、接着剤の使用により眼部に対してもたらされる不快感または痛みを回避できる。本発明の付けまつ毛が磁気的に接続するものであるため、二枚の付けまつ毛を真まつ毛の上下両側に置くだけで 、ただちに接続を完成させることが可能である。取り外す時、二枚の付けまつ毛を軽く退かせば、ただちに取り外せるので、容易且つ迅速な脱着が可能である。同時に、本発明の付けまつ毛が磁気的に接続するものであるため、脱着は共に付けまつ毛に対するダメージが無く、再利用が可能である。また、本発明の付けまつ毛が、可撓性磁気ストリップを担体として作られており、まぶたの動きに対応して変形可能であるため、目との適合性が良好であり、使用者には何も異物感または不快感を与えない。なお、本発明には、構造がシンプル、使用コストが低い、実装が容易、などの特徴がある。
【図面の簡単な説明】
【００１５】
【図１】本発明の上の付けまつ毛の構成概略図である。
【図２】本発明の上の付けまつ毛の構成断面図である。
【図３】本発明の上の付けまつ毛の部材の分解斜視概略図である。
【図４】本発明の下の付けまつ毛の構成概略図である。
【図５】本発明の下の付けまつ毛の構成断面図である。
【図６】本発明の下の付けまつ毛の部材の分解斜視概略図である。
【図７】本発明の第１の可撓性磁気ストリップの構成斜視概略図である。
【図８】薄片状の第１の可撓性磁気ストリップの構成の横断面概略図である。
【図９Ａ】棒状の第１の可撓性磁気ストリップの構成の横断面概略図であり、横断面が円形の棒状の第１の可撓性磁気ストリップの横断面概略図である。
【図９Ｂ】棒状の第１の可撓性磁気ストリップの構成の横断面概略図であり、横断面が楕円形の棒状の第１の可撓性磁気ストリップの横断面概略図である。
【図１０】本発明の第２の可撓性磁気ストリップの構成斜視概略図である。
【図１１】薄片状の第２の可撓性磁気ストリップの構成の横断面概略図である。
【図１２Ａ】棒状の第２の可撓性磁気ストリップの構成の横断面概略図であり、横断面が円形の棒状の第２の可撓性磁気ストリップの横断面概略図である。
【図１２Ｂ】棒状の第２の可撓性磁気ストリップの構成の横断面概略図であり、横断面が楕円形の棒状の第２の可撓性磁気ストリップの横断面概略図である。
【図１３】本発明の上の付けまつ毛の使用状態の概略図である。
【図１４】本発明の下の付けまつ毛の使用状態の概略図である。
【発明を実施するための形態】
【００１６】
以下に記載する実施例は本発明に対する更なる解釈と説明であり、本発明に対して何ら制限を課すものではない。
【００１７】
図１〜図６に示すように、本発明の多極磁化可撓性磁気ストリップを担体とした付けまつ毛は、第１の可撓性磁気ストリップ１０と、第２の可撓性磁気ストリップ２０と、上の付けまつ毛１００と、下の付けまつ毛２００と、第１の疑似まつ毛３０と、第２の疑似まつ毛４０とを備えている。第１の疑似まつ毛３０は上まつ毛に適合した疑似まつ毛であり、第２の疑似まつ毛４０は下まつ毛に適合した疑似まつ毛である。第１の疑似まつ毛３０と第２の疑似まつ毛４０は人の毛髪、動物の毛髪、人造繊維、植物繊維などから作られることが可能であり、人の真まつ毛５０に可能な限り近似すべきである。
【００１８】
図７、図８、図９Ａ、図９Ｂに示すように、第１の可撓性磁気ストリップ１０は人の上まぶたの形状に対応した可撓性ストリップ状の物体であり、上まぶたの動きに対応して変形可能である。本実施例において、第１の可撓性磁気ストリップ１０は薄片状または棒状の物体であり、その２つの長辺は人の上まぶたの形状に対応した上向きに凸状の円弧形である。図８に示す実施例において、第１の可撓性磁気ストリップ１０Ａは薄片状であり、薄片状の第１の可撓性磁気ストリップ１０Ａは横断面が長方形の薄片である。本実施例において、薄片状の第１の可撓性磁気ストリップ１０Ａは、幅が１ｍｍであり、厚さが０.１ｍｍである。使用上の安全のために、その４つの角部は曲面となるように形成されている。図９Ａ、図９Ｂに示す別の実施例において、第１の可撓性磁気ストリップ１０Ｂは棒状であり、棒状の第１の可撓性磁気ストリップ１０Ｂは図９Ａに示すように横断面が円形の棒状の物体であってもよい。横断面が円形の第１の可撓性磁気ストリップ１０Ｂの外表面には、もう１つの可撓性磁気ストリップとの接続面を増大させるために、対称な２つの平面１０Ｂ１が軸方向に沿って設けられており、使用上の安全性を確保するために、平面１０Ｂ１と円柱面とが交差する箇所は、曲面となるように形成されている。棒状の第１の可撓性磁気ストリップ１０Ｂは、図９Ｂに示すように横断面が楕円形の棒状の物体であってもよい。本実施例において、棒状の第１の可撓性磁気ストリップ１０Ｂのうち、横断面が円形の第１の可撓性磁気ストリップ１０Ｂは直径が１ｍｍであり、横断面が楕円形の第１の可撓性磁気ストリップ１０Ｂは長径の長さが０.１ｍｍである。
【００１９】
図１０、図１１、図１２Ａ、図１２Ｂに示すように、第２の可撓性磁気ストリップ２０は人の下まぶたの形状に対応した可撓性ストリップ状の物体であり、第２の可撓性磁気ストリップ２０は下まぶたの動きに対応して変形可能である。本実施例において、第２の可撓性磁気ストリップ２０の２つの長辺は人の下まぶたの形状に対応した下向きに凹状の円弧形であり、薄片状の物体２０Ａであってもよく、また棒状の物体２０Ｂであってもよい。図１１に示す実施例において、第２の可撓性磁気ストリップ２０Ａは薄片状であり、薄片状の第２の可撓性磁気ストリップ２０Ａは横断面が長方形の薄片である。本実施例において、薄片状の第２の可撓性磁気ストリップ２０Ａは幅が１ｍｍであり、厚さが０.１ｍｍである。使用上の安全のために、その４つの角部は曲面となるように形成されている。図１２Ａ、図１２Ｂに示すさらに別の実施例において、第２の可撓性磁気ストリップ２０Ｂは棒状であり、棒状の第２の可撓性磁気ストリップ２０Ｂは図１２Ａに示すように横断面が円形の棒状の物体であってもよい。横断面が円形の第２の可撓性磁気ストリップ２０Ｂの外表面には、もう１つの可撓性磁気ストリップとの接続面を増大させるために、対称な２つの平面２０Ｂ１が軸方向に沿って設けられており、使用上の安全性を確保するために、平面２０Ｂ１と円柱面とが交差する箇所は、曲面となるように形成されている。棒状の第２の可撓性磁気ストリップ２０Ｂは、図１２Ｂに示すように横断面が楕円形の棒状の物体であってもよい。棒状の第２の可撓性磁気ストリップ２０Ｂのうち、横断面が円形の第２の可撓性磁気ストリップ２０Ｂは直径が１ｍｍであり、横断面が楕円形の第２の可撓性磁気ストリップ２０Ｂは長径の長さが０.１ｍｍである。
【００２０】
図７〜図１２に示すように、第１の可撓性磁気ストリップ１０、第２の可撓性磁気ストリップ２０は、磁性複合材料であり、合成ゴム粉末、磁性体粉末および助剤を、重量比５:９２:３で、撹拌器内で均等に混合させ、その後圧延若しくは射出成形又は射出成形を行ったのち更に圧延を行うことにより形成されたものである。本実施例において、前記合成ゴム粉末は、公知の合成ゴム、例えば、ニトリルゴム、エチレンプロピレンゴム、クロロプレンゴム、ブタジエンゴム、ウレタンゴム、スチレンブタジエンゴム、ブチルゴム、シリコーンゴム、熱可塑性ゴムなどから作られる粉末であってよい。前記磁性体粉末は、ネオジム鉄ホウ素磁性粉末であり、前記助剤はシランカップリング剤である。
【００２１】
本実施例において、上記均等に混合された合成ゴム粉末、磁性体粉末および助剤を用いることにより、無磁界状態下で、圧延若しくは射出成形を行うことにより、又は、射出成形を行ったのち更に圧延を行うことにより、等方性の第１の可撓性磁気ストリップ１０と等方性の第２の可撓性磁気ストリップ２０とが形成されていてもよい。他の実施例では、前記均等に混合された合成ゴム粉末、磁性体粉末および助剤を用いて、圧延若しくは射出成形を行う過程、又は、射出成形を行ったのち更に圧延を行う過程において、強磁界の配向により、異方性の第１の可撓性磁気ストリップ１０と異方性の第２の可撓性磁気ストリップ２０とが形成される。
【００２２】
図７、図１０に示すように、形成された第１の可撓性磁気ストリップ１０、形成された第２の可撓性磁気ストリップ２０は、磁化され、多磁極の構造が形成されていてもよい。第１の可撓性磁気ストリップ１０、第２の可撓性磁気ストリップ２０は、磁化器により多極磁化され、第１の可撓性磁気ストリップ１０と第２の可撓性磁気ストリップ２０には、その長手方向に沿って配列される複数対の磁極１１が形成され、または、その幅方向に沿って配列される複数対の磁極１１が形成される。磁極間の間隔は等間隔であってもよく、または不等間隔であってもよい。第１の可撓性磁気ストリップ１０と、第２の可撓性磁気ストリップ２０との、磁気ストリップ全体には複数対の磁極が設けられており、それにより作製された上の付けまつ毛１００および下の付けまつ毛２００は、使用時、長手方向に複数の確実な接続点を有する。
【００２３】
図１〜図３に示すように、上の付けまつ毛１００は、２つの第１の可撓性磁気ストリップ１０と、２つの第１の疑似まつ毛３０とを備え、そのうち、２つの第１の可撓性磁気ストリップ１０は磁極方向が相反している。仮に第１の可撓性磁気ストリップ１０の一方に複数対の磁極がＳ-Ｎ、Ｓ-Ｎ、Ｓ-Ｎ、・・・と配列されているとすれば、第１の可撓性磁気ストリップ１０の他方には複数対の磁極がＮ-Ｓ、Ｎ-Ｓ、Ｎ-Ｓ、・・・と配列されることとなる。これにより接続時、２つの第１の可撓性磁気ストリップ１０の異なる磁極が互いに引き寄せられる。第１の疑似まつ毛３０は人の毛髪、動物の毛髪、人造繊維、植物繊維などから作られることが可能であり、人の真まつ毛５０の形状と色彩に可能な限り近似すべきである。第１の疑似まつ毛３０の一端は第１の可撓性磁気ストリップ１０の下側に固定されており、他端は下向きに真まつ毛５０以上の長さまで延在している。具体的には、薄片状の第１の可撓性磁気ストリップ１０Ａに対して、第１の疑似まつ毛３０の一端がホットプレスまたは接着により、第１の可撓性磁気ストリップ１０Ａの下側に固定されている。本実施例において、第１の疑似まつ毛３０はホットプレスにより第１の可撓性磁気ストリップ１０Ａに固定されている。横断面が円形の棒状の第１の可撓性磁気ストリップ１０Ｂに対して、第１の疑似まつ毛３０はホットプレスにより、横断面が円形の第１の可撓性磁気ストリップ１０Ｂのうち１つの断面１０Ｂ１に固定されている。横断面が楕円形の棒状の第１の可撓性磁気ストリップ１０Ｂに対して、第１の疑似まつ毛３０はホットプレスにより、横断面が楕円形の第１の可撓性磁気ストリップ１０Ｂのうち１つの長辺のある平面１０Ｂ２に固定されている。
【００２４】
図４〜６に示すように、下の付けまつ毛２００は、２つの第２の可撓性磁気ストリップ２０と、２つの第２の疑似まつ毛４０とを備え、そのうち、２つの第２の可撓性磁気ストリップ２０は磁極方向が相反している。仮に第２の可撓性磁気ストリップ２０の一方に複数対の磁極がＳ-Ｎ、Ｓ-Ｎ、Ｓ-Ｎ、・・・と配列されているとすれば、第２の可撓性磁気ストリップ２０の他方には複数対の磁極がＮ-Ｓ、Ｎ-Ｓ、Ｎ-Ｓ、・・・と配列されることとなる。これにより接続時、２つの第２の可撓性磁気ストリップ２０の異なる磁極が互いに引き寄せられる。第２の疑似まつ毛４０は人の毛髪、動物の毛髪、人造繊維、植物繊維などから作られることが可能であり、人の真まつ毛５０の形状と色彩に可能な限り近似すべきである。第２の疑似まつ毛４０の一端は第２の可撓性磁気ストリップ２０の上側に固定されており、他端は上向きに真まつ毛５０以上の長さまで延在している。具体的には、薄片状の第２の可撓性磁気ストリップ２０Ａに対して、第２の疑似まつ毛４０の一端がホットプレスまたは接着により、第２の可撓性磁気ストリップ２０Ａの上側に固定されている。本実施例において、第２の疑似まつ毛４０はホットプレスにより第２の可撓性磁気ストリップ２０Ａに固定されている。横断面が円形の棒状の第２の可撓性磁気ストリップ２０Ｂに対して、第２の疑似まつ毛４０はホットプレスにより、横断面が円形の第２の可撓性磁気ストリップ２０Ｂのうち１つの平面２０Ｂ１に固定されている。横断面が楕円形の棒状の第２の可撓性磁気ストリップ２０Ｂに対して、第２の疑似まつ毛４０はホットプレスにより、横断面が楕円形の第２の可撓性磁気ストリップ２０Ｂのうち１つの長辺のある平面２０Ｂ２に固定されている。
【００２５】
図１３、図１４に示すように、上の付けまつ毛１００と下の付けまつ毛２００は、使用時、付けまつ毛専用のピンセットまたは手によって、上の付けまつ毛１００二枚が磁力吸引により人の目の上まぶたの真まつ毛５０の上下両側に接続され、下の付けまつ毛２００二枚が磁力吸引により人の目の下まぶたの真まつ毛５０の上下両側に接続されることで、美化効果を奏する、美感に富んだ付けまつ毛が形成される。
【００２６】
本発明によれば、屈曲可能で、変形可能な可撓性磁気ストリップを担体とし、疑似まつ毛を前記磁性担体に統合させることにより、容易且つ迅速な脱着が可能であり、使用が安全であり、美化効果を奏する、美感に富んだ付けまつ毛が形成される。
【００２７】
上記の実施例を用いて本発明を説明したが、本発明の範囲はこれらに限定されず、本発明の概念から逸脱しない限り、上記の各部材は、当業者が周知する類似または同等の素子を用いて置換可能である。
【００２８】
本発明の前述の説明は、例示および説明のために提示されたものである。本発明の正確な開示として限定または網羅するものではなく、上記の教示内容に鑑みて多くの修正および変形が可能であることは自明である。当業者に自明な改変および変形は、添付の特許請求の範囲に記載される本発明の範囲内に含まれる。
【図１】
2020513483.tif 000003
【図２】
2020513483.tif 000004
【図３】
2020513483.tif 000005
【図４】
2020513483.tif 000006
【図５】
2020513483.tif 000007
【図６】
2020513483.tif 000008
【図７】
2020513483.tif 000009
【図８】
2020513483.tif 000010
【図９Ａ】
2020513483.tif 000011
【図９Ｂ】
2020513483.tif 000012
【図１０】
2020513483.tif 000013
【図１１】
2020513483.tif 000014
【図１２Ａ】
2020513483.tif 000015
【図１２Ｂ】
2020513483.tif 000016
【図１３】
2020513483.tif 000017
【図１４】
2020513483.tif 000018
【国際調査報告】
2020513483.tif 000019
2020513483.tif 000020
2020513483.tif 000021
2020513483.tif 000022